(57)【要約】  簡易な構造であっても、糸調子皿の糸挟持圧力を微調節する糸張力微調節手段を確実に原点位置まで復帰させることができるオーバロックミシンの微調節復帰機構を提供する。  複数の糸調子皿の糸挟持圧力を、所望の圧力に一括して設定する糸張力設定手段（３）と、原点位置からそれ以外の位置へ回転移動させることにより設定された前記糸挟持圧力を、それぞれ微調節することが可能な糸張力微調節手段（３０ａ）とを有する。糸張力微調節手段（３０ａ）に連動して回転し、一面に一の突起物（３０ｂ）を有する回転体（３０）と、突起物（３０ｂ）を囲う、互いに対向する二組のスライダクランク機構とを備える。二組のスライダクランク機構のクランクの軸支点と回転体（３０）の回転中心とが一致するよう配置してあり、糸張力設定手段（３）の設定操作により、突起物（３０ｂ）をクランクで挟む込むように共通のスライダを、回転体（３０）の回転中心から原点位置へ向かう方向に復帰させるようにしてある。
2012105392.tif 000002
【特許請求の範囲】
【請求項１】
縫い方に合わせて設定された糸挟持圧力を縫糸ごとに付与する、それぞれの一端側が圧着された複数の糸調子皿と、
該糸調子皿ごとに糸挟持圧力を付勢する複数の付勢部材と、
該付勢部材の付勢する力を制御する、互いに異なる形状を有する複数の端面カムと
を同軸上に配置してあり、
一括して前記複数の端面カムを回転させる操作ダイヤルと、
前記糸調子皿と前記付勢部材との間に配置してある、前記付勢部材の付勢する力を調節するよう、同軸上において左右に移動することが可能な糸調子皿押えギアと
を備えることを特徴とするオーバロックミシンの糸調子器。
【請求項２】
前記糸調子皿は、２枚の皿で構成してあり、
該２枚の皿を互いに圧着してある状態で、前記糸調子皿押えギアにより前記付勢部材の付勢する力を増減するようにしてあることを特徴とする請求項１記載のオーバロックミシンの糸調子器。
【請求項３】
前記糸調子皿押えギアは、前記糸調子皿と接触している糸調子皿押えの連結軸に螺合してあり、前記糸調子皿押えギアが回転することにより前記糸調子皿押えギアは前記糸調子皿押えの連結軸に沿って左右に移動するようにしてあることを特徴とする請求項１又は２記載のオーバロックミシンの糸調子器。
【発明の詳細な説明】
【技術分野】
【０００１】
本発明は、各糸調子調節機構における糸挟持圧力を一括して調節することができるだけでなく、微調節することもできるオーバロックミシンの糸調子器に関する。
【背景技術】
【０００２】
オーバロックミシンのように複数の縫糸を使用するミシンにより縫製する場合、縫い目の種類（かがり縫い、全巻き縫い、飾り縫い等）に応じて各縫糸に付与する張力を変更する必要がある。また、スパン糸、綿糸、フィラメント糸等の使用する糸の種類によっても、各縫糸に付与する張力を変更する必要があった。【０００３】
ユーザが容易に各縫糸に付与する張力を変更することができるように、ワンダイヤルで、各縫糸に付与する張力を一括して変更する機種も開発されている。しかし、実際に縫製する場合には布の厚み等に微妙な差異が生じることもあり、通常は、各縫糸に付与する張力を微調節することができる微調節レバーを装備している。【０００４】
例えば特許文献１では、複数の糸調子ユニットの糸調子を変換つまみによって同時に切り換え、その状態で手動糸調子ダイヤルによって個々の糸調子ユニットの糸調子を調節することができるミシンの糸張力調整装置が開示されている。また、特許文献２では、軸方向に滑動可能に支持されている二枚の糸調子皿間の挟圧力を、端面カムにより所望の挟圧力に調節することができるオーバロックミシンの糸調子器が開示されている。
【先行技術文献】
【特許文献】
【０００５】
【特許文献１】特許第３０４６６０２号公報
【特許文献２】実用新案登録第２５８４９８０号公報
【特許文献３】特開２００６−０８７５３９号公報
【発明の概要】
【発明が解決しようとする課題】
【０００６】
しかし、特許文献１及び２に開示してあるミシンの糸張力調整装置及びオーバロックミシンの糸調子器は、糸調子ユニット内の端面カムと糸調子皿とが一体となっており、変換つまみの回転に伴うバネの付勢力により、糸調子皿の位置が軸方向に移動する。したがって、移動量によっては縫糸に付与される張力が微妙に変動し、手動糸調子ダイヤルにより糸調子を微調節する必要が生じやすいという問題点があった。【０００７】
また、特許文献３では、カムの回転軸と糸調子皿の回転軸とが別個であり、選択ダイヤルを回して糸調子を調節した場合に糸調子皿が軸方向に移動しないオーバロックミシンの糸調子装置が開示されている。しかし、特許文献３に開示してあるオーバロックミシンの糸調子装置では、糸調子を微調節する場合、糸調子皿が糸調子の微調節機構と一体となって移動する。したがって、糸調子の微調節作業により縫糸に付与される張力が微妙に変動するおそれが残されていた。【０００８】
本発明は斯かる事情に鑑みてなされたものであり、ワンダイヤルで各糸調子調節機構における糸挟持圧力を一括して調節することができ、糸挟持圧力の微調節を行った場合であっても糸調子皿の位置が不変であるオーバロックミシンの糸調子器を提供することを目的とする。
【課題を解決するための手段】
【０００９】
上記問題を解決するために第１発明に係るオーバロックミシンの糸調子器は、縫い方に合わせて設定された糸挟持圧力を縫糸ごとに付与する、それぞれの一端側が圧着された複数の糸調子皿と、該糸調子皿ごとに糸挟持圧力を付勢する複数の付勢部材と、該付勢部材の付勢する力を制御する、互いに異なる形状を有する複数の端面カムとを同軸上に配置してあり、一括して前記複数の端面カムを回転させる操作ダイヤルと、前記糸調子皿と前記付勢部材との間に配置してある、前記付勢部材の付勢する力を調節するよう、同軸上において左右に移動することが可能な糸調子皿押えギアとを備えることを特徴とする。【００１０】
第１発明では、縫い方に合わせて設定された糸挟持圧力を縫糸ごとに付与する、それぞれの一端側が圧着された複数の糸調子皿と、糸調子皿ごとに糸挟持圧力を付勢する複数の付勢部材と、付勢部材の付勢する力を制御する、互いに異なる形状を有する複数の端面カムとを同軸上に配置してあり、一括して複数の端面カムを回転させる操作ダイヤルを備えている。これにより、操作ダイヤルにより端面カムを回転させ、糸調子皿ごとに設定された糸挟持圧力となるよう調節する場合に、それぞれの糸調子皿は一端側が圧着されているので位置が変動することがなく、縫糸に付与される張力が変動するおそれが少ない。また、糸調子皿と付勢部材との間に配置してある、付勢部材の付勢する力を調節するよう、同軸上において左右に移動することが可能な糸調子皿押えギアを有することにより、糸調子器が縫糸ごとに備える糸調子調節機構ごとに糸挟持圧力を微調節することができるとともに、糸挟持圧力を微調節する場合であっても糸調子皿は移動しない。したがって、糸挟持圧力の微調節作業によって縫糸に付与される張力が変動するおそれがなく、高い精度で糸挟持圧力を調節することが可能となる。【００１１】
また、第２発明に係るオーバロックミシンの糸調子器は、第１発明において、前記糸調子皿は、２枚の皿で構成してあり、該２枚の皿を互いに圧着してある状態で、前記糸調子皿押えギアにより前記付勢部材の付勢する力を増減するようにしてあることを特徴とする。【００１２】
第２発明では、糸調子皿は、２枚の皿で構成してあり、２枚の皿を互いに圧着してある状態で、糸調子皿押えギアにより付勢部材の付勢する力を増減することにより、糸調子調節機構ごとに糸挟持圧力を微調節することができるとともに、糸挟持圧力を微調節する場合であっても糸調子皿は移動しない。したがって、糸挟持圧力の微調節作業によって縫糸に付与される張力が微妙に変動するおそれがなく、高い精度で糸挟持圧力を調節することが可能となる。【００１３】
また、第３発明に係るオーバロックミシンの糸調子器は、第１又は第２発明において、前記糸調子皿押えギアは、前記糸調子皿と接触している糸調子皿押えの連結軸に螺合してあり、前記糸調子皿押えギアが回転することにより前記糸調子皿押えギアは前記糸調子皿押えの連結軸に沿って左右に移動するようにしてあることを特徴とする。【００１４】
第３発明では、糸調子皿押えギアは、糸調子皿と接触している糸調子皿押えの連結軸に螺合してあり、糸調子皿押えギアが回転することにより糸調子皿押えギアは糸調子皿押えの連結軸に沿って左右に移動することができるので、糸調子皿押えギアを回転させることにより糸調子調節機構ごとに糸挟持圧力を微調節することができるとともに、糸挟持圧力を微調節する場合であっても、糸調子皿は移動しない。したがって、糸挟持圧力の微調節作業によって縫糸に付与される張力が変動するおそれがなく、高い精度で糸挟持圧力を調節することが可能となる。
【発明の効果】
【００１５】
本発明によれば、操作ダイヤルにより端面カムを回転させ、糸調子皿ごとに設定された糸挟持圧力となるよう調節する場合に、それぞれの糸調子皿は一端側が圧着されているので位置が変動することがなく、縫糸に付与される張力が変動するおそれが少ない。また、糸調子皿と付勢部材との間に配置してある、付勢部材の付勢する力を調節するよう、同軸上において左右に移動することが可能な糸調子皿押えギアを有することにより、糸調子器が縫糸ごとに備える糸調子調節機構ごとに糸挟持圧力を微調節することができるとともに、糸挟持圧力を微調節する場合であっても糸調子皿は移動しない。したがって、糸挟持圧力の微調節作業によって縫糸に付与される張力が変動するおそれがなく、高い精度で糸挟持圧力を調節することが可能となる。
【図面の簡単な説明】
【００１６】
【図１】本発明の実施の形態に係るオーバロックミシンの糸調子器の構成を示す正面図である。
【図２】本発明の実施の形態に係るオーバロックミシンの糸調子器の操作ダイヤルと糸調子調節機構との連結機構の構成を示す模式図である。
【図３】本発明の実施の形態に係るオーバロックミシンの糸調子器の糸調子調節機構の構成を示す平面図及び正面図である。
【図４】本発明の実施の形態に係るオーバロックミシンの糸調子器の糸調子調節機構の調節ギアの構成を示す右側面図である。
【図５】本発明の実施の形態に係るオーバロックミシンの糸調子器の糸調子調節機構のうち、微調節を行うための機構部分を説明するための正面図である。
【発明を実施するための形態】
【００１７】
以下、本発明の実施の形態に係るオーバロックミシンの糸調子器について図面を参照しながら詳細に説明する。図１は、本発明の実施の形態に係るオーバロックミシンの糸調子器の構成を示す正面図である。
【００１８】
図１に示すように、本実施の形態に係るオーバロックミシンの糸調子器１は、左針用、右針用、上ルーパー用、下ルーパー用の糸調子調節機構２、２、２、２をそれぞれ同軸上に備えている。糸調子調節機構２、２、２、２は、支持板４、５に挟持され、操作ダイヤル３と連動して回転することが可能となっている。すなわち、操作ダイヤル３を回転操作することにより、一括して各糸調子調節機構２における糸挟持圧力を調節することができる。
【００１９】
図２は、本発明の実施の形態に係るオーバロックミシンの糸調子器１の操作ダイヤル３と糸調子調節機構２との連結機構の構成を示す模式図である。図２に示すように、操作ダイヤル３には選択ギア３１が連結してあり、選択ギア３１は連動ギア３２に、連動ギア３２は中間ギア３３ｂを介して糸調子調節機構２に、それぞれ連結してある。
【００２０】
図３は、本発明の実施の形態に係るオーバロックミシンの糸調子器１の糸調子調節機構２の構成を示す平面図及び正面図である。図３（ａ）は、糸調子調節機構２をオーバロックミシンの上方から見た平面図を示し、図３（ｂ）は、糸調子調節機構２をオーバロックミシンをユーザが操作する側から見た正面図を示している。
【００２１】
図３に示すように、糸調子調節機構２は、縫糸を挟む糸調子皿２１を一端側へ圧着してある。糸調子皿２１は、互いに対向して接触する、対称な形状を有する皿２１ａ、２１ｂで構成してあり、他方の皿２１ｂを一方の皿２１ａへと付勢力により圧着してある。
【００２２】
糸調子調節機構２の他端側には、台板２２を備えており、台板２２には端面カム２４の動作を制御する突起部２３を備えている。端面カム２４の形状は糸調子調節機構２ごとに変えてある。操作ダイヤル３の回転に伴い連動ギア３２、中間ギア３３ｂが回転し、中間ギア３３ｂに連結してある糸調子調節機構２の端面カム２４が回転する。
【００２３】
端面カム２４が回転することにより、突起部２３との接触位置が変動し、突起部２３との接触位置に応じて端面カム２４が回転軸方向、すなわち図３中の矢印方向（左右方向）に移動する。端面カム２４の移動に応じて圧縮バネ（付勢部材）２５の、糸調子皿押えギア２６及び糸調子皿押え２７への付勢力が変動する。すなわち、端面カム２４と突起部２３とが、端面カム２４の端面の浅い位置で接触するほど端面カム２４は左方向へ移動し、圧縮バネ（付勢部材）２５の、糸調子皿押えギア２６及び回転することなく回転軸に沿って移動することが可能な糸調子皿押え２７への付勢力が大きくなる。したがって、糸調子皿押え２７が糸調子皿２１の他方の皿２１ｂを一方の皿２１ａに押しつける押圧力が大きくなるので、糸調子皿２１での縫糸を挟む糸挟持圧力が大きくなる。
【００２４】
一方、端面カム２４と突起部２３とが、端面カム２４の端面の深い位置で接触するほど端面カム２４は右方向へ移動し、圧縮バネ（付勢部材）２５の、糸調子皿押えギア２６及び糸調子皿押え２７への付勢力が小さくなる。したがって、糸調子皿押え２７が糸調子皿２１の他方の皿２１ｂを一方の皿２１ａに押しつける押圧力が小さくなるので、糸調子皿２１での縫糸を挟む糸挟持圧力が小さくなる。端面カム２４の形状を操作ダイヤル３の回転に応じて所望の糸挟持圧力が生じるように設計することで、操作ダイヤル３を回転操作することにより、２枚の皿で構成された複数の糸調子皿２１、２１、２１、２１での縫糸を挟む糸挟持圧力を一括して調節することができる。
【００２５】
また、一括して調節するだけでなく、各糸調子皿２１での縫糸を挟む糸挟持圧力を微調節することもできる。本実施の形態では、中間ギア３３ａと中間ギア３３ｂとは別個独立して動作するギアであり、回転軸を同一とするに過ぎない。そして、糸調子皿２１での縫糸を挟む糸挟持圧力を微調節する場合には、調節ギア３０を回転させることにより、中間ギア３３ａを介して糸調子皿押えギア２６のみを回転させる。
【００２６】
糸調子皿押えギア２６の内径にはネジ山が形成してあり、糸調子皿押え２７と連結されている連結軸２７１の表面のネジ山と螺合している。すなわち、糸調子皿押えギア２６の内径には雌ネジを、糸調子皿押え２７の連結軸２７１の表面には雄ネジを、それぞれ形成することにより、糸調子皿押えギア２６を回転させることで、糸調子皿押えギア２６が連結軸２７１方向（左右方向）に移動する。結果として、圧縮バネ（付勢部材）２５の糸調子皿押え２７への付勢力を増減することができる。
【００２７】
図４は、本発明の実施の形態に係るオーバロックミシンの糸調子器１の糸調子調節機構２の調節ギア３０の構成を示す右側面図である。調節ギア３０は、調節レバー３０ａと一体に形成されており、調節レバー３０ａを上下（矢印）方向に回転操作することにより中間ギア３３ａが回転し、糸調子皿押えギア２６が回転する。
【００２８】
図５は、本発明の実施の形態に係るオーバロックミシンの糸調子器１の糸調子調節機構２のうち、微調節を行うための機構部分を説明するための正面図である。図５は、糸調子調節機構２をオーバロックミシンをユーザが操作する側から見た正面図を示している。
【００２９】
図５に示すように、図４に示す調節レバー３０ａの上方向又は下方向への回転操作に伴い、調節ギア３０が回転する。調節ギア３０の回転により、中間ギア３３ａを介して糸調子皿押えギア２６が回転する。
【００３０】
糸調子皿押えギア２６は、糸調子皿押え２７と連結されている連結軸２７１の表面のネジ山と螺合している。したがって、糸調子皿押えギア２６を回転させることで、糸調子皿押えギア２６の位置が連結軸方向（左右方向）に移動する。糸調子皿押えギア２６が連結軸２７１に沿って右方向へ移動した場合、圧縮バネ（付勢部材）２５が圧縮され、糸調子皿押え２７への付勢力が増大する。逆に糸調子皿押えギア２６が連結軸２７１に沿って左方向へ移動した場合、圧縮バネ（付勢部材）２５が伸長され、糸調子皿押え２７への付勢力が減少する。
【００３１】
糸調子皿押え２７への付勢力が増大した場合、糸調子皿押え２７が糸調子皿２１の他方の皿２１ｂを一方の皿２１ａに押しつける押圧力が大きくなるので、糸調子皿２１での縫糸を挟む糸挟持圧力が大きくなる。糸調子皿押え２７への付勢力が減少した場合、糸調子皿押え２７が糸調子皿２１の他方の皿２１ｂを一方の皿２１ａに押しつける押圧力が小さくなるので、糸調子皿２１での縫糸を挟む糸挟持圧力が小さくなる。
【００３２】
以上のように本実施の形態によれば、操作ダイヤル３により端面カム２４を回転させ、糸調子皿２１ごとに設定された糸挟持圧力となるよう調節する場合に、それぞれの糸調子皿２１は一端側が圧着されているので位置が変動することがなく、縫糸に付与される張力が変動するおそれが少ない。また、糸調子皿２１と付勢部材２５との間に配置してある、付勢部材２５の付勢する力を調節するよう、同軸上において左右に移動することが可能な糸調子皿押えギア２６を有することにより、糸調子器２１が縫糸ごとに備える糸調子調節機構２ごとに糸挟持圧力を微調節することができるとともに、糸挟持圧力を微調節する場合であっても糸調子皿２１は移動しない。したがって、糸挟持圧力の微調節作業によって縫糸に付与される張力が変動するおそれがなく、高い精度で糸挟持圧力を調節することが可能となる。
【００３３】
その他、本発明の趣旨を逸脱しない範囲において上記実施の形態に種々の変更を付加した形態で実施することが可能である。
【符号の説明】
【００３４】
１  糸調子器
２  糸調子調節機構
３  操作ダイヤル
２１  糸調子皿
２１ａ  一方の皿
２１ｂ 他方の皿
２３  突起部
２４ 端面カム
２５  圧縮バネ（付勢部材）
２６  糸調子皿押えギア
２７  糸調子皿押え
３０ 調節ギア
３０ａ  調節レバー
３３ａ、３３ｂ  中間ギア
２７１  連結軸
【図１】
2012105392.tif 000003
【図２】
2012105392.tif 000004
【図３】
2012105392.tif 000005
【図４】
2012105392.tif 000006
【図５】
2012105392.tif 000007
【手続補正書】
【提出日】平成24年11月1日(2012.11.1)
【手続補正１】
【補正対象書類名】特許請求の範囲
【補正対象項目名】全文
【補正方法】変更
【補正の内容】
【特許請求の範囲】
【請求項１】
縫い方に合わせて設定された糸挟持圧力を縫糸ごとに付与する、それぞれの一端側が圧着された複数の糸調子皿と、
該糸調子皿ごとに糸挟持圧力を付勢する複数の付勢部材と、
該付勢部材の付勢する力を制御する、互いに異なる形状を有する複数の端面カムと
を同軸上に配置してあり、
一括して前記複数の端面カムを回転させる操作ダイヤルと、
前記糸調子皿と前記付勢部材との間に配置してある、前記付勢部材の付勢する力を調節するよう、同軸上において左右に移動することが可能な糸調子皿押えギアと
を備え、
前記操作ダイヤルと連動する連動ギアと、
微調整を行う微調整レバーと連動する調整ギアと、
回転軸を同一とし、別個独立に動作する第一の中間ギアと第二の中間ギアとを有し、
前記第一の中間ギアを前記端面カム及び前記連動ギアと、前記第二の中間ギアを前記糸調子皿押えギア及び前記調整ギアと、それぞれ噛み合わせてあり、
前記操作ダイヤルの操作時には前記端面カム及び前記連動ギアと前記第一の中間ギアとが、前記微調整レバーの操作時には前記糸調子皿押えギア及び前記調整ギアと前記第二の中間ギアとが、それぞれ噛み合うことを特徴とするオーバロックミシンの糸調子器。
【請求項２】
前記糸調子皿は、２枚の皿で構成してあり、
該２枚の皿を互いに圧着してある状態で、前記糸調子皿押えギアにより前記付勢部材の付勢する力を増減するようにしてあることを特徴とする請求項１記載のオーバロックミシンの糸調子器。
【請求項３】
前記糸調子皿押えギアは、前記糸調子皿と接触している糸調子皿押えの連結軸に螺合してあり、前記糸調子皿押えギアが回転することにより前記糸調子皿押えギアは前記糸調子皿押えの連結軸に沿って左右に移動するようにしてあることを特徴とする請求項１又は２記載のオーバロックミシンの糸調子器。
【手続補正２】
【補正対象書類名】明細書
【補正対象項目名】０００３
【補正方法】変更
【補正の内容】
【０００３】
において左右に移動することが可能な糸調子皿押えギアとを備え、前記操作ダイヤルと連動する連動ギアと、微調整を行う微調整レバーと連動する調整ギアと、回転軸を同一とし、別個独立に動作する第一の中間ギアと第二の中間ギアとを有し、前記第一の中間ギアを前記端面カム及び前記連動ギアと、前記第二の中間ギアを前記糸調子皿押えギア及び前記調整ギアと、それぞれ噛み合わせてあり、前記操作ダイヤルの操作時には前記端面カム及び前記連動ギアと前記第一の中間ギアとが、前記微調整レバーの操作時には前記糸調子皿押えギア及び前記調整ギアと前記第二の中間ギアとが、それぞれ噛み合うことを特徴とする。
［００１０］
第１発明では、縫い方に合わせて設定された糸挟持圧力を縫糸ごとに付与する、それぞれの一端側が圧着された複数の糸調子皿と、糸調子皿ごとに糸挟持圧力を付勢する複数の付勢部材と、付勢部材の付勢する力を制御する、互いに異なる形状を有する複数の端面カムとを同軸上に配置してあり、一括して複数の端面カムを回転させる操作ダイヤルを備えている。これにより、操作ダイヤルにより端面カムを回転させ、糸調子皿ごとに設定された糸挟持圧力となるよう調節する場合に、それぞれの糸調子皿は一端側が圧着されているので位置が変動することがなく、縫糸に付与される張力が変動するおそれが少ない。また、糸調子皿と付勢部材との間に配置してある、付勢部材の付勢する力を調節するよう、同軸上において左右に移動することが可能な糸調子皿押えギアを有することにより、糸調子器が縫糸ごとに備える糸調子調節機構ごとに糸挟持圧力を微調節することができるとともに、糸挟持圧力を微調節する場合であっても糸調子皿は移動しない。したがって、糸挟持圧力の微調節作業によって縫糸に付与される張力が変動するおそれがなく、高い精度で糸挟持圧力を調節することが可能となる。さらに、操作ダイヤルと連動する連動ギアと、微調整を行う微調整レバーと連動する調整ギアと、回転軸を同一とし、別個独立に動作する第一の中間ギアと第二の中間ギアとを有し、第一の中間ギアを端面カム及び連動ギアと、第二の中間ギアを糸調子皿押えギア及び調整ギアと、それぞれ噛み合わせてある。操作ダイヤルの操作による一括調整時には、端面カム及び連動ギアと第一の中間ギアとが噛み合うので、端面カムにより一括して付勢部材の付勢する力を調節することができる。一方、微調整レバーの操作による微調整時には、糸調子皿押えギア及び調整ギアと第二の中間ギアとが噛み合うので、糸調子器が縫糸ごとに備える糸調子調節機構ごとに糸挟持圧力を微調節することができる。
［００１１］
また、第２発明に係るオーバロックミシンの糸調子器は、第１発明において、前記糸調子皿は、２枚の皿で構成してあり、該２枚の皿を互いに圧着してある状態で、前記糸調子皿押えギアにより前記付勢部材の付勢する力を増減するようにしてあることを特徴とする。
［００１２］
第２発明では、糸調子皿は、２枚の皿で構成してあり、２枚の皿を互いに圧着してある状態で、糸調子皿押えギアにより付勢部材の付勢する力を増減することにより、糸調子調節機構ごとに糸挟持圧力を微調節することができるとともに、糸挟持圧力を微調節する場合であっても糸調子皿は移動しない。したがって、糸挟持圧力の微調節作業によって縫糸に付与される張力が微妙に変動するおそれがなく、高い精度で糸挟持圧力を調節することが可能となる。
【国際調査報告】
2012105392.tif 000008
2012105392.tif 000009